(57)【要約】【課題】相手側のハウジングとの良好なシール性を維持させることが可能なハウジングを提供すること。【解決手段】メスハウジング１５と嵌合されるオスハウジング１３であって、メスハウジング１５の嵌合突部５３が嵌合されて嵌合突部５３との間が環状のシール部材９８でシールされる筒状のフード部２１を備え、フード部２１は、メスハウジング１５との嵌合方向の先端に、メスハウジング１５の嵌合縁部６５を周方向にわたって接触して隙間なく覆うシール筒部２５を有する。【選択図】図２
2020191177.tif 000002
【特許請求の範囲】
【請求項１】
相手側ハウジングと嵌合されるハウジングであって、
前記相手側ハウジングの嵌合突部が嵌合されて前記嵌合突部との間が環状のシール部材でシールされる筒状のフード部を備え、
前記フード部は、前記相手側ハウジングとの嵌合方向の先端に、前記相手側ハウジングの縁部を周方向にわたって接触して隙間なく覆うシール筒部を有する
ことを特徴とするハウジング。
【請求項２】
前記シール筒部は、前記相手側ハウジングとの嵌合方向の前方へ延在するカバー片を有している
ことを特徴とする請求項１に記載のハウジング。
【請求項３】
前記カバー片は、前記相手側ハウジングに設けられたロックアームの支柱部に対応する位置に切欠き部を有する
ことを特徴とする請求項２に記載のハウジング。
【発明の詳細な説明】
【技術分野】
【０００１】
本発明は、ハウジングに関する。
【背景技術】
【０００２】
ハウジング同士が互いに嵌合されて接続されるコネクタとして、ハウジング同士の嵌合箇所をシールし、端子同士の接続箇所への水の浸入を防止するパッキン等からなる環状のシール部材を備えるものがある（例えば、特許文献１，２参照）。
【先行技術文献】
【特許文献】
【０００３】
【特許文献１】特開２０１６−１０５３５３号公報
【特許文献２】特開２０１６−１１５４１１号公報
【発明の概要】
【発明が解決しようとする課題】
【０００４】
ところで、高圧洗浄機等によって車両を洗浄する際に、高圧洗浄機から高圧で噴射された水が車両に搭載されたコネクタのハウジング同士の隙間へ吹き付けられることがある。すると、吹き付けられた水の水圧によって内部のシール部材が劣化し、シール性が低下するおそれがある。
【０００５】
本発明は、上述した事情に鑑みてなされたものであり、その目的は、相手側のハウジングとの良好なシール性を維持させることが可能なハウジングを提供することにある。
【課題を解決するための手段】
【０００６】
前述した目的を達成するために、本発明に係るハウジングは、下記（１）〜（３）を特徴としている。
（１）  相手側ハウジングと嵌合されるハウジングであって、
前記相手側ハウジングの嵌合突部が嵌合されて前記嵌合突部との間が環状のシール部材でシールされる筒状のフード部を備え、
前記フード部は、前記相手側ハウジングとの嵌合方向の先端に、前記相手側ハウジングの縁部を周方向にわたって接触して隙間なく覆うシール筒部を有する
ことを特徴とするハウジング。
（２）  前記シール筒部は、前記相手側ハウジングとの嵌合方向の前方へ延在するカバー片を有している
ことを特徴とする（１）に記載のハウジング。
（３）  前記カバー片は、前記相手側ハウジングに設けられたロックアームの支柱部に対応する位置に切欠き部を有する
ことを特徴とする（２）に記載のハウジング。
【０００７】
上記（１）の構成のハウジングによれば、相手側ハウジングと嵌合されると、筒状のフード部の先端のシール筒部が相手側ハウジングの縁部を周方向にわたって接触して隙間なく覆う。これにより、例えば、高圧洗浄機からの高圧の水が吹き付けられても、この高圧の水がハウジングと相手側ハウジングとの間からシール部材によるシール箇所へ浸入するのを抑制することができる。したがって、シール部材の劣化を抑えて良好なシール性を維持させることができる。また、シール部材によるシール箇所への水の浸入が抑えられるので、シール部材を簡略化してコストを低減させることができる。
上記（２）の構成のハウジングによれば、シール筒部から相手側ハウジングとの嵌合方向の前方へ延在するカバー片によって、ハウジングと相手側ハウジングとの間へ高圧の水が吹き付けられるのを抑えることができる。これにより、ハウジングと相手側ハウジングとの間をより良好にシールすることができる。
上記（３）の構成のハウジングによれば、相手側ハウジングと嵌合させることで、カバー片がロックアームの根元へ挿し込まれ、ロックアームが切欠き部に入り込む。これにより、相手側ハウジングにロックアームが形成されていることでシールが困難なロックアームの根元部分におけるシール性をカバー片によって高めることができる。しかも、ロックアームの根元にカバー片が挿し込まれることで、ロックアームの根元部分を保護することができ、また、互いに嵌合させたハウジング同士のがたつきを抑制することもできる。
【発明の効果】
【０００８】
本発明によれば、相手側のハウジングとの良好なシール性を維持させることが可能なハウジングを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、コネクタの分解斜視図である。
【図２】図２は、オスハウジングとメスハウジングとの嵌合方向に沿うコネクタの断面図である。
【図３】図３は、本実施形態に係るオスハウジングの斜視図である。
【図４】図４は、本実施形態に係るオスハウジングを示す図であって、図４（ａ）は正面図、図４（ｂ）は側面図である。
【図５】図５は、メスハウジングの斜視図である。
【図６】図６は、メスハウジングを示す図であって、図６（ａ）は正面図、図６（ｂ）は側面図である。
【図７】図７は、図２におけるＡ部の拡大図である。
【図８】図８は、参考例に係るオスハウジングを示す図２のＡ部に対応する拡大図である。
【図９】図９は、変形例に係るオスハウジングの斜視図である。
【図１０】図１０は、コネクタのメスハウジング側から視た斜視図である。
【図１１】図１１は、変形例に係るオスハウジングを示す図２のＡ部に対応する拡大図である。
【発明を実施するための形態】
【００１１】
以下、本発明に係る実施の形態の例を、図面を参照して説明する。
（コネクタ）
図１は、コネクタの分解斜視図である。図２は、オスハウジングとメスハウジングとの嵌合方向に沿うコネクタの断面図である。
【００１２】
図１及び図２に示すように、本実施形態に係るオスハウジング（ハウジング）１３は、メスハウジング（相手側ハウジング）１５に嵌合されるもので、メスハウジング１５とともに、コネクタ１１を構成する。このコネクタ１１は、メスハウジング１５の後方側からスライドされて装着される筒状のＣＰＡ（嵌合保証部材）１７を備えている。これらのオスハウジング１３、メスハウジング１５及びＣＰＡ１７は、それぞれ合成樹脂から成形されている。
【００１３】
（オスハウジング）
図３は、本実施形態に係るオスハウジングの斜視図である。図４は、本実施形態に係るオスハウジングを示す図であって、図４（ａ）は正面図、図４（ｂ）は側面図である。
【００１４】
図３及び図４（ａ）（ｂ）に示すように、本実施形態に係るオスハウジング１３は、メスハウジング１５との嵌合側である先端側にフード部２１を有している。このフード部２１には、その上下に、係止突起２３が形成されている。
【００１５】
フード部２１は、前端側が開口された筒状に形成されている。また、このフード部２１は、その先端部分がシール筒部２５とされおり、このシール筒部２５の内周面はシール面２７とされている。
【００１６】
オスハウジング１３は、メスハウジング１５との嵌合側と反対側である後方側に、二つの端子収容室３０を有している。図１に示すように、端子収容室３０には、電線３１の端部に接続されたオス端子３３が収容されており、電線３１は、オスハウジング１３の後端から引き出される。端子収容室３０には、電線３１に装着されたゴム栓３４がオスハウジング１３の後端側から嵌め込まれる。これにより、オス端子３３を収容するオスハウジング１３の端子収容室３０が止水される。
【００１７】
オス端子３３は、例えば、銅または銅合金等の導電性金属材料から形成されたもので、電線３１が圧着されて接続されている。このオス端子３３は、ピン状に形成されたタブ３５を有しており、タブ３５は、フード部２１内に配置される。
【００１８】
オスハウジング１３には、前端側からフロントホルダ４１及びショート端子４３が組付けられる。フロントホルダ４１は、合成樹脂から形成されたもので、このフロントホルダ４１をオスハウジング１３に組付けることで、端子収容室３０に挿し込まれて収容されたオス端子３３が端子収容室３０に収容された状態に保持される。ショート端子４３は、例えば、銅または銅合金等の導電性金属材料から形成されている。ショート端子４３は、オスハウジング１３に組付けられることで、オスハウジング１３にメスハウジング１５が嵌合されていない非嵌合状態において、オス端子３３のタブ３５に接触される。これにより、オス端子３３同士がショート端子４３で導通され、例えば、インターロック回路が形成される。
【００１９】
（メスハウジング）
図５は、メスハウジングの斜視図である。図６は、メスハウジングを示す図であって、図６（ａ）は正面図、図６（ｂ）は側面図である。
【００２０】
図５及び図６（ａ）（ｂ）に示すように、メスハウジング１５は、ハウジング本体５１と、嵌合突部５３と、ロック機構５４とを有している。嵌合突部５３は、ハウジング本体５１からオスハウジング１３との嵌合方向の前方側へ突出されており、オスハウジング１３のフード部２１に嵌合される。嵌合突部５３は、ハウジング本体５１側から順にシール装着部６１及び端子保持部６３とされている。端子保持部６３は、シール装着部６１から前方に突出されている。メスハウジング１５は、ハウジング本体５１における嵌合突部５３側の縁部が、シール装着部６１よりも大きい外形の嵌合縁部６５とされている。
【００２１】
ロック機構５４は、メスハウジング１５におけるハウジング本体５１の上部に設けられている。ロック機構５４は、ロックアーム５５と、解除アーム８１とを有している。ロックアーム５５は、一対の弾性アーム部７１を有している。弾性アーム部７１は、ハウジング本体５１の上面に形成された支柱部７３と、支柱部７３から前方側へ屈曲した屈曲部７５と、屈曲部７５から前方へ延びる延在部７７とを有している。弾性アーム部７１は、その延在部７７の先端同士が連結されており、この連結部分が係止部７９とされている。ロックアーム５５は、弾性アーム部７１が弾性変形することで揺動する。
【００２２】
解除アーム８１は、弾性アーム部７１の先端に連設されて後方へ延びる一対の支持アーム部８３と、これらの支持アーム部８３の後端を連結する操作部８５とを有している。支持アーム部８３は、弾性アーム部７１の支柱部７３よりもメスハウジング１５の後方側へ延在されている。これにより、操作部８５は、弾性アーム部７１の支柱部７３よりもメスハウジング１５の後方側に配置されている。
【００２３】
ロック機構５４は、オスハウジング１３とメスハウジング１５とが嵌合した際に、ロックアーム５５の係止部７９がオスハウジング１３のフード部２１における上側の係止突起２３を係止する。これにより、オスハウジング１３とメスハウジング１５とを、互いに嵌合した状態にロックする。
【００２４】
メスハウジング１５には、二つの端子収容室９１が形成されている。図１に示すように、端子収容室９１には、電線９３の端部に接続されたメス端子９５が収容され、電線９３は、メスハウジング１５の後端から引き出される。端子収容室９１には、電線９３に装着されたゴム栓９６がメスハウジング１５の後端側から嵌め込まれる。これにより、メス端子９５が収容されるメスハウジング１５の端子収容室９１が止水される。
【００２５】
また、メスハウジング１５には、前方側からシール部材９８及びリテーナ９９が装着される。シール部材９８は、ゴム等の弾性材料からなるもので、環状に形成されている。シール部材９８は、嵌合突部５３のシール装着部６１に装着される。リテーナ９９は、合成樹脂から形成されたもので、嵌合突部５３の端子保持部６３に装着される。このリテーナ９９が端子保持部６３に装着されることで、端子収容室９１に挿し込まれて収容されたメス端子９５が端子収容室９１に収容された状態に保持される。
【００２６】
（ＣＰＡ）
図１及び図２に示すように、ＣＰＡ１７は、角筒状に形成された本体部１０１を有しており、メスハウジング１５に対して後方から被せられて嵌合方向にスライド可能に装着される。ＣＰＡ１７には、本体部１０１の上下に係合アーム１０３を有している。これらの係合アーム１０３は、本体部１０１に片持ち梁状に支持されており、先端部には、内側へ突出する係合爪１０５が形成されている。ＣＰＡ１７は、メスハウジング１５に装着されると、上側の係合アーム１０３の係合爪１０５がロックアーム５５の係止部７９の後部に当接する。
【００２７】
（嵌合手順）
次に、オスハウジング１３とメスハウジング１５との嵌合について説明する。
オスハウジング１３と、ＣＰＡ１７が装着されたメスハウジング１５とを嵌合させると、ＣＰＡ１７の上側の係合アーム１０３によって係止部７９が嵌合方向の前方に押圧される。
【００２８】
そして、ロックアーム５５の係止部７９がオスハウジング１３のフード部２１の上側の係止突起２３を乗り越えて係止すると、オスハウジング１３とメスハウジング１５とが嵌合された状態にロックされる。また、嵌合方向の前方側へ押し込まれたＣＰＡ１７の上側の係合アーム１０３の係合爪１０５が、フード部２１の上側の係止突起２３を係止しているロックアーム５５の係止部７９に係合する。そして、下側の係合アーム１０３の係合爪１０５がフード部２１の下側の係止突起２３を係止する。これにより、ＣＰＡ１７が上下の係合アーム１０３によってオスハウジング１３にロックされるとともに、ロックアーム５５の係止部７９による係止突起２３の係止状態がＣＰＡ１７の上側の係合アーム１０３によって維持されて嵌合保証状態が確保される。
【００２９】
そして、オスハウジング１３とメスハウジング１５とが嵌合されると、オスハウジング１３のフード部２１に、リテーナ９９が装着されたメスハウジング１５の嵌合突部５３が挿入される。これにより、リテーナ９９によってショート端子４３が押し下げられてオス端子３３のタブ３５から離間し、オス端子３３の短絡状態が解除されるとともに、オス端子３３のタブ３５がメス端子９５に挿し込まれて互いに電気的に接続される。
【００３０】
（シール構造）
次に、オスハウジング１３とメスハウジング１５との嵌合状態におけるシール構造について説明する。
図７は、図２におけるＡ部の拡大図である。
【００３１】
オスハウジング１３とメスハウジング１５とが嵌合されると、オスハウジング１３のフード部２１の内周面にメスハウジング１５のシール装着部６１に装着されたシール部材９８が密着する。これにより、オスハウジング１３とメスハウジング１５との嵌合箇所がシールされる（図２参照）。
【００３２】
さらに、オスハウジング１３のフード部２１の先端側にメスハウジング１５の嵌合縁部６５が嵌合される。これにより、メスハウジング１５の嵌合縁部６５が、オスハウジング１３のフード部２１の先端側のシール筒部２５によって全周にわたって覆われ、図７に示すように、嵌合縁部６５の外周面にシール筒部２５のシール面２７が隙間なく接触する。
【００３３】
ここで、参考例について説明する。
図８は、参考例に係るオスハウジングを示す図２のＡ部に対応する拡大図である。
【００３４】
図８に示すように、参考例では、互いに嵌合した状態で、フード部２１とメスハウジング１５の嵌合縁部６５との間に隙間Ｇが形成されている。したがって、例えば、高圧洗浄機等によって車両を洗浄する際に、高圧洗浄機から高圧で噴射された高圧の水がフード部２１とメスハウジング１５の嵌合縁部６５との間の隙間Ｇへ吹き付けられると、水圧によって内部のシール部材９８が劣化する。この結果、シール性が低下するおそれがある。
【００３５】
これに対して、本実施形態によれば、メスハウジング１５と嵌合されると、筒状のフード部２１の先端のシール筒部２５がメスハウジング１５の嵌合縁部６５を周方向にわたって接触して隙間なく覆う。これにより、例えば、高圧洗浄機からの高圧の水が吹き付けられても、この高圧の水がオスハウジング１３とメスハウジング１５との間からシール部材９８によるシール箇所へ浸入するのを抑制することができる。したがって、シール部材９８の劣化を抑えて良好なシール性を維持させることができる。また、シール部材９８によるシール箇所への水の浸入が抑えられるので、シール部材９８を簡略化してコストを低減させることができる。
【００３６】
次に、変形例について説明する。
なお、上記実施形態と同一構成部分は、同一符号を付して説明を省略する。
図９は、変形例に係るオスハウジングの斜視図である。図１０は、コネクタのメスハウジング側から視た斜視図である。図１１は、変形例に係るオスハウジングを示す図２のＡ部に対応する拡大図である。
【００３７】
図９に示すように、変形例に係るオスハウジング１３Ａには、カバー片２８が形成されている。このカバー片２８は、オスハウジング１３Ａのフード部２１における上部に形成されており、メスハウジング１５との嵌合方向の前方へ延在されている。このカバー片２８には、切欠き部２９が形成されている。これらの切欠き部２９は、メスハウジング１５のロックアーム５５を構成する弾性アーム部７１の支柱部７３に対応する位置に形成されている。
【００３８】
図１０に示すように、オスハウジング１３Ａをメスハウジング１５と嵌合させると、ロックアーム５５の支柱部７３が切欠き部２９に入り込み、フード部２１のカバー片２８がメスハウジング１５のロックアーム５５の根元へ挿し込まれる。
【００３９】
これにより、図１１に示すように、メスハウジング１５のロックアーム５５の根元がオスハウジング１３Ａのカバー片２８によって覆われる。したがって、オスハウジング１３Ａとメスハウジング１５とは、嵌合縁部６５に全周にわたって接触するシール筒部２５と、ロックアーム５５の根元を覆うカバー片２８とによってシールされる。
【００４０】
このように、変形例に係るオスハウジング１３Ａによれば、メスハウジング１５のロックアーム５５の根元をオスハウジング１３Ａのカバー片２８が覆う。このため、嵌合縁部６５に全周にわたって接触するシール筒部２５によってシールされる嵌合箇所をより良好にシールすることができる。
【００４１】
つまり、カバー片２８によって、オスハウジング１３Ａとメスハウジング１５との間へ高圧の水が吹き付けられるのを抑えることができるので、オスハウジング１３Ａとメスハウジング１５との間をより良好にシールすることができる。
【００４２】
しかも、カバー片２８は、ロックアーム５５の根元へ挿し込まれてロックアーム５５の支柱部７３が切欠き部２９に入り込む。これにより、メスハウジング１５にロックアーム５５が形成されていることでシールが困難なロックアーム５５の根元部分におけるシール性をカバー片２８によって高めることができる。しかも、ロックアーム５５の根元にカバー片２８が挿し込まれることで、ロックアーム５５の根元部分を保護することができ、また、互いに嵌合させたオスハウジング１３Ａとメスハウジング１５とのがたつきを抑制することもできる。
【００４３】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４４】
ここで、上述した本発明に係るハウジングの実施形態の特徴をそれぞれ以下［１］〜［３］に簡潔に纏めて列記する。
［１］  相手側ハウジング（メスハウジング１５）と嵌合されるハウジング（オスハウジング１３）であって、
前記相手側ハウジング（メスハウジング１５）の嵌合突部（５３）が嵌合されて前記嵌合突部（５３）との間が環状のシール部材（９８）でシールされる筒状のフード部（２１）を備え、
前記フード部（２１）は、前記相手側ハウジング（メスハウジング１５）との嵌合方向の先端に、前記相手側ハウジング（メスハウジング１５）の縁部（嵌合縁部６５）を周方向にわたって接触して隙間なく覆うシール筒部（２５）を有する
ことを特徴とするハウジング。
［２］  前記シール筒部（２５）は、前記相手側ハウジング（メスハウジング１５）との嵌合方向の前方へ延在するカバー片（２８）を有している
ことを特徴とする［１］に記載のハウジング。
［３］  前記カバー片（２８）は、前記相手側ハウジング（メスハウジング１５）に設けられたロックアーム（５５）の支柱部（７３）に対応する位置に切欠き部（２９）を有する
ことを特徴とする［２］に記載のハウジング。
【符号の説明】
【００４５】
１３：オスハウジング（ハウジング）
１５：メスハウジング（相手側ハウジング）
２１：フード部
２５：シール筒部
２８：カバー片
２９：切欠き部
５３：嵌合突部
５５：ロックアーム
６５：嵌合縁部（縁部）
７３：支柱部
９８：シール部材
【図１】
2020191177.tif 000003
【図２】
2020191177.tif 000004
【図３】
2020191177.tif 000005
【図４】
2020191177.tif 000006
【図５】
2020191177.tif 000007
【図６】
2020191177.tif 000008
【図７】
2020191177.tif 000009
【図８】
2020191177.tif 000010
【図９】
2020191177.tif 000011
【図１０】
2020191177.tif 000012
【図１１】
2020191177.tif 000013